(57)【要約】【課題】ＩＥＥＥ１３９４シリアルバスに接続されるＤＴＶ等のコントローラ機器において、接続されているディスクタイプ接続機器に多くの番組が格納されている場合でも、番組情報の一覧の中から再生させたい番組の番組情報を容易に探すことができるようにする。【解決手段】自機に接続されている全てのディスクタイプ接続機器から、これらの接続機器に格納されている番組についての番組情報を取得し（Ｓ２５）、取得した番組情報の中から、ユーザにより設定入力された検索条件に合致する番組情報を抽出して（Ｓ２６）、抽出した番組情報を格納した番組情報データベースを作成する（Ｓ２８）。この番組情報データベースに格納された番組情報をモニタ上に一覧表示することにより、一覧表示される番組情報をユーザ所望の番組の番組情報のみに絞ることができるので、ユーザが、一覧表示された番組情報の中から再生させたい番組の番組情報を容易に探すことができる。【選択図】図６
2006217465.tif 000002
【特許請求の範囲】
【請求項１】
ＩＥＥＥ１３９４用の制御コマンドによって録画や再生を行うことが可能なハードディスクレコーダやＤＶＤレコーダ等の、ディスクレコーダ／プレーヤサブユニットを有するディジタル録画再生装置とＩＥＥＥ１３９４シリアルバスを介して接続され、
前記接続されているディジタル録画再生装置の台数は、２以上であり、
前記全てのディジタル録画再生装置のルートコンテンツリストを読み込んで、これらのルートコンテンツリストから、前記全てのディジタル録画再生装置に格納されている番組についての番組情報を取得する番組情報取得手段と、
前記番組情報取得手段により取得した番組情報を一覧表示するためのモニタとを備えたＩＥＥＥ１３９４シリアルバスに接続されるディジタルテレビジョン受像機において、
前記全てのディジタル録画再生装置に格納されている番組の中から、ユーザ所望の番組の検索条件を設定入力するための検索条件入力手段と、
前記番組情報取得手段により取得した番組情報の中から、前記検索条件入力手段を用いてユーザにより設定入力された検索条件に合致する番組情報を抽出する番組情報抽出手段と、
前記番組情報抽出手段により抽出された番組情報を格納した番組情報データベースを作成する番組情報ＤＢ作成手段と、
前記番組情報取得手段により読み込んだ、前記各ディジタル録画再生装置の最新のルートコンテンツリストの内容に基づいて、前記番組情報データベースの内容を更新する番組情報ＤＢ更新手段と、
前記全てのディジタル録画再生装置に格納されている番組の番組情報のうち、前記検索条件入力手段を用いてユーザにより設定入力された検索条件に合致する番組情報を一覧表示するように指示するための指示手段と、
前記指示手段を用いてユーザにより指示されたときに、前記番組情報データベースに格納された番組情報を前記モニタ上に一覧表示するように制御する表示制御手段とをさらに備え、
前記番組情報ＤＢ更新手段は、前記番組情報取得手段により読み込んだ、前記各ディジタル録画再生装置の最新のルートコンテンツリストのリストスペシフィックインフォメーション内のタイムスタンプインフォブロックのカウンタ値が、前回、前記番組情報取得手段により該当ディジタル録画再生装置のルートコンテンツリストを読み込みんだときのカウンタ値と同じであれば、前記番組情報データベースに格納されている番組情報のうち、該当ディジタル録画再生装置に格納されている番組についての番組情報を更新しないようにしたことを特徴とするＩＥＥＥ１３９４シリアルバスに接続されるディジタルテレビジョン受像機。
【請求項２】
ＩＥＥＥ１３９４用の制御コマンドによって録画や再生を行うことが可能なハードディスクレコーダやＤＶＤレコーダ等の、ディスクレコーダ／プレーヤサブユニットを有するディジタル録画再生装置とＩＥＥＥ１３９４シリアルバスを介して接続され、
前記接続されているディジタル録画再生装置の台数は、２以上であり、
前記全てのディジタル録画再生装置のルートコンテンツリストを読み込んで、これらのルートコンテンツリストから、前記全てのディジタル録画再生装置に格納されている番組についての番組情報を取得する番組情報取得手段とを備えたＩＥＥＥ１３９４シリアルバスに接続されるコントローラ機器において、
前記全てのディジタル録画再生装置に格納されている番組の中から、ユーザ所望の番組の検索条件を設定入力するための検索条件入力手段と、
前記番組情報取得手段により取得した番組情報の中から、前記検索条件入力手段を用いてユーザにより設定入力された検索条件に合致する番組情報を抽出する番組情報抽出手段と、
前記番組情報抽出手段により抽出された番組情報を格納した番組情報データベースを作成する番組情報ＤＢ作成手段と、
前記番組情報取得手段により読み込んだ、前記各ディジタル録画再生装置の最新のルートコンテンツリストの内容に基づいて、前記番組情報データベースの内容を更新する番組情報ＤＢ更新手段と、
前記全てのディジタル録画再生装置に格納されている番組の番組情報のうち、前記検索条件入力手段を用いてユーザにより設定入力された検索条件に合致する番組情報を一覧表示するように指示するための指示手段と、
前記指示手段を用いてユーザにより指示されたときに、前記番組情報データベースに格納された番組情報を表示装置に一覧表示するように制御する表示制御手段とをさらに備えたことを特徴とするＩＥＥＥ１３９４シリアルバスに接続されるコントローラ機器。
【請求項３】
前記番組情報ＤＢ更新手段は、前記番組情報取得手段により読み込んだ、前記各ディジタル録画再生装置の最新のルートコンテンツリストのリストスペシフィックインフォメーション内のタイムスタンプインフォブロックのカウンタ値が、前回、前記番組情報取得手段により該当ディジタル録画再生装置のルートコンテンツリストを読み込みんだときのカウンタ値と同じであれば、前記番組情報データベースに格納されている番組情報のうち、該当ディジタル録画再生装置に格納されている番組についての番組情報を更新しないようにしたことを特徴とする請求項２に記載のＩＥＥＥ１３９４シリアルバスに接続されるコントローラ機器。
【発明の詳細な説明】
【技術分野】
【０００１】
本発明は、ＡＶＨＤＤ（ＩＥＥＥ１３９４用の制御コマンドによってのみ録画や再生を行うことが可能なハードディスクレコーダ）や、ＤＶＤレコーダ等の、ディスクレコーダ／プレーヤサブユニットを有するディジタル録画再生装置とＩＥＥＥ１３９４シリアルバスを介して接続可能なディジタルテレビジョン受像機、セットトップボックス等のコントローラ機器に関する。
【背景技術】
【０００２】
従来、ディジタルテレビジョン受像機、セットトップボックス等のＩＥＥＥ１３９４シリアルバスに接続されるコントローラ機器は、ハードディスクレコーダやＤＶＤレコーダ等のディスク記録媒体を用いたディジタル録画再生装置に格納されている番組の番組情報を一覧表示する機能や、番組情報の一覧の中からユーザにより指定された番組情報に対応する番組を再生させる機能を有している。これらの機能は、ディジタル録画再生装置に格納されている番組数が少ない場合には、大変便利な機能である。
【０００３】
ところが、コントローラ機器に接続されているディジタル録画再生装置に多くの番組が録画されている場合には、上記の番組情報の一覧表示機能を用いて再生対象の番組の番組情報を一覧表示させて、この番組情報の一覧の中から再生させたい（見たい）番組の番組情報を探すのは、手間がかかる。特に、コントローラ機器に接続されているディジタル録画再生装置の台数が、２台以上である場合には、コントローラ機器の種類によっては、各ディジタル録画再生装置毎に、格納されている番組の番組情報を一覧表示させる必要があるので、番組情報の一覧の中から再生させたい番組を探す手間はより大きくなる。
【０００４】
ところで、ハードディスクレコーダ、ＤＶＤプレーヤ、及びチューナを内蔵したディジタル複合再生装置において、内蔵のハードディスクレコーダ及びＤＶＤプレーヤにより再生可能なコンテンツと、チューナにより受信可能な放送チャンネルとを一元的に総合表示したコンテンツ情報リストを表示するものが知られている（特許文献１参照）。しかし、特許文献１に記載の発明では、上記のディジタル録画再生装置に多くの番組が録画されている場合における手間の問題を解消することはできない。
【特許文献１】実用新案登録第３０９０７８８号公報（第８−９頁、第２図）
【発明の開示】
【発明が解決しようとする課題】
【０００５】
本発明は、上記の問題を解決するためになされたものであり、コントローラ機器に接続されているディジタル録画再生装置に多くの番組が格納されている場合や、コントローラ機器に接続されているディジタル録画再生装置の台数が２台以上である場合でも、番組情報の一覧の中から再生させたい番組の番組情報を容易に探すことが可能なＩＥＥＥ１３９４シリアルバスに接続されるディジタルテレビジョン受像機、及びＩＥＥＥ１３９４シリアルバスに接続されるコントローラ機器を提供することを目的とする。
【課題を解決するための手段】
【０００６】
上記目的を達成するために、請求項１の発明は、ＩＥＥＥ１３９４用の制御コマンドによって録画や再生を行うことが可能なハードディスクレコーダやＤＶＤレコーダ等の、ディスクレコーダ／プレーヤサブユニットを有するディジタル録画再生装置とＩＥＥＥ１３９４シリアルバスを介して接続され、前記接続されているディジタル録画再生装置の台数は、２以上であり、前記全てのディジタル録画再生装置のルートコンテンツリストを読み込んで、これらのルートコンテンツリストから、前記全てのディジタル録画再生装置に格納されている番組についての番組情報を取得する番組情報取得手段と、前記番組情報取得手段により取得した番組情報を一覧表示するためのモニタとを備えたＩＥＥＥ１３９４シリアルバスに接続されるディジタルテレビジョン受像機において、前記全てのディジタル録画再生装置に格納されている番組の中から、ユーザ所望の番組の検索条件を設定入力するための検索条件入力手段と、前記番組情報取得手段により取得した番組情報の中から、前記検索条件入力手段を用いてユーザにより設定入力された検索条件に合致する番組情報を抽出する番組情報抽出手段と、前記番組情報抽出手段により抽出された番組情報を格納した番組情報データベースを作成する番組情報ＤＢ作成手段と、前記番組情報取得手段により読み込んだ、前記各ディジタル録画再生装置の最新のルートコンテンツリストの内容に基づいて、前記番組情報データベースの内容を更新する番組情報ＤＢ更新手段と、前記全てのディジタル録画再生装置に格納されている番組の番組情報のうち、前記検索条件入力手段を用いてユーザにより設定入力された検索条件に合致する番組情報を一覧表示するように指示するための指示手段と、前記指示手段を用いてユーザにより指示されたときに、前記番組情報データベースに格納された番組情報を前記モニタ上に一覧表示するように制御する表示制御手段とをさらに備え、前記番組情報ＤＢ更新手段は、前記番組情報取得手段により読み込んだ、前記各ディジタル録画再生装置の最新のルートコンテンツリストのリストスペシフィックインフォメーション内のタイムスタンプインフォブロックのカウンタ値が、前回、前記番組情報取得手段により該当ディジタル録画再生装置のルートコンテンツリストを読み込みんだときのカウンタ値と同じであれば、前記番組情報データベースに格納されている番組情報のうち、該当ディジタル録画再生装置に格納されている番組についての番組情報を更新しないようにしたものである。
【０００７】
請求項２の発明は、ＩＥＥＥ１３９４用の制御コマンドによって録画や再生を行うことが可能なハードディスクレコーダやＤＶＤレコーダ等の、ディスクレコーダ／プレーヤサブユニットを有するディジタル録画再生装置とＩＥＥＥ１３９４シリアルバスを介して接続され、前記接続されているディジタル録画再生装置の台数は、２以上であり、前記全てのディジタル録画再生装置のルートコンテンツリストを読み込んで、これらのルートコンテンツリストから、前記全てのディジタル録画再生装置に格納されている番組についての番組情報を取得する番組情報取得手段とを備えたＩＥＥＥ１３９４シリアルバスに接続されるコントローラ機器において、前記全てのディジタル録画再生装置に格納されている番組の中から、ユーザ所望の番組の検索条件を設定入力するための検索条件入力手段と、前記番組情報取得手段により取得した番組情報の中から、前記検索条件入力手段を用いてユーザにより設定入力された検索条件に合致する番組情報を抽出する番組情報抽出手段と、前記番組情報抽出手段により抽出された番組情報を格納した番組情報データベースを作成する番組情報ＤＢ作成手段と、前記番組情報取得手段により読み込んだ、前記各ディジタル録画再生装置の最新のルートコンテンツリストの内容に基づいて、前記番組情報データベースの内容を更新する番組情報ＤＢ更新手段と、前記全てのディジタル録画再生装置に格納されている番組の番組情報のうち、前記検索条件入力手段を用いてユーザにより設定入力された検索条件に合致する番組情報を一覧表示するように指示するための指示手段と、前記指示手段を用いてユーザにより指示されたときに、前記番組情報データベースに格納された番組情報を表示装置に一覧表示するように制御する表示制御手段とをさらに備えたものである。
【０００８】
請求項３の発明は、請求項２に記載のＩＥＥＥ１３９４シリアルバスに接続されるコントローラ機器において、前記番組情報ＤＢ更新手段は、前記番組情報取得手段により読み込んだ、前記各ディジタル録画再生装置の最新のルートコンテンツリストのリストスペシフィックインフォメーション内のタイムスタンプインフォブロックのカウンタ値が、前回、前記番組情報取得手段により該当ディジタル録画再生装置のルートコンテンツリストを読み込みんだときのカウンタ値と同じであれば、前記番組情報データベースに格納されている番組情報のうち、該当ディジタル録画再生装置に格納されている番組についての番組情報を更新しないようにしたものである。
【発明の効果】
【０００９】
請求項１の発明によれば、該当のディジタルテレビジョン受像機に接続されている全てのディジタル録画再生装置に格納されている番組の番組情報の中から、ユーザにより設定入力された検索条件に合致する番組情報が、該当のディジタルテレビジョン受像機のモニタ上に一覧表示される。これにより、該当のディジタルテレビジョン受像機に接続されている全てのディジタル録画再生装置に格納されている番組が多い場合や、該当のディジタルテレビジョン受像機に接続されているディジタル録画再生装置の台数が２台以上である場合でも、ユーザ所望の番組の検索条件を設定入力することで、一覧表示される番組情報をユーザ所望の番組の番組情報のみに絞ることができるので、ユーザが、一覧表示された番組情報の中から再生させたい番組の番組情報を容易に探すことができる。
【００１０】
また、一覧表示させる番組情報の元データを格納した番組情報データベースを更新する際に、各ディジタル録画再生装置の最新のルートコンテンツリストのリストスペシフィックインフォメーション内のタイムスタンプインフォブロックのカウンタ値が、前回、該当ディジタル録画再生装置のルートコンテンツリストを読み込みんだとき（前回の番組情報データベースの更新時又は作成時）のカウンタ値と同じであれば、番組情報データベースに格納されている番組情報のうち、該当ディジタル録画再生装置に格納されている番組についての番組情報を更新しないようにした。これにより、番組情報データベースの更新に要する時間を短縮することができる。
【００１１】
請求項２の発明によれば、該当のコントローラ機器に接続されている全てのディジタル録画再生装置に格納されている番組の番組情報の中から、ユーザにより設定入力された検索条件に合致する番組情報が、表示装置に一覧表示される。これにより、該当のコントローラ機器に接続されている全てのディジタル録画再生装置に格納されている番組が多い場合や、該当のコントローラ機器に接続されているディジタル録画再生装置の台数が２台以上である場合でも、ユーザ所望の番組の検索条件を設定入力することで、一覧表示される番組情報をユーザ所望の番組の番組情報のみに絞ることができるので、ユーザが、一覧表示された番組情報の中から再生させたい番組の番組情報を容易に探すことができる。
【００１２】
また、請求項３の発明によれば、請求項１の発明と同様な効果を得ることができる。
【発明を実施するための最良の形態】
【００１３】
本発明を実施するための最良の形態について図面を参照して説明する。本発明は、ＡＶＨＤＤ（ＩＥＥＥ１３９４用の制御コマンドによってのみ録画や再生を行うことが可能なハードディスクレコーダ）や、ＤＶＤレコーダ等の、ディスクレコーダ／プレーヤサブユニットを有するディジタル録画再生装置とＩＥＥＥ１３９４シリアルバスを介して接続可能なディジタルテレビジョン受像機、セットトップボックス等のコントローラ機器に関するものである。以下の実施形態では、本発明をディジタルテレビジョン受像機に適用した場合の例について説明する。なお、以下に記載した実施形態は、本発明を網羅するものではなく、本発明は、下記の形態だけに限定されない。
【００１４】
図１は、本実施形態によるディジタルテレビジョン受像機と、このディジタルテレビジョン受像機に接続された３台のＡＶＨＤＤ（ディスクレコーダ／プレーヤサブユニットを有するディジタル録画再生装置）の外観を示す。ディジタルテレビジョン受像機（以下、ＤＴＶという）１は、地上波ディジタルテレビジョン放送の受信が可能なチューナ回路を内蔵している。ＤＴＶ１は、ＡＶＨＤＤ２ａ，２ｂ，２ｃに対するコントローラ機器（以下、コントローラと略す）としての役割を果たす。ＤＴＶ１のモニタ５は、検索条件設定入力画面（図５参照）や番組一覧表示画面（図１０参照）等の表示に用いられる。ＡＶＨＤＤ２ａ，２ｂ，２ｃは、ＩＥＥＥ１３９４用の制御コマンドによってのみ録画や再生を行うことが可能なタイプのハードディスクレコーダである。ＤＴＶ１とＡＶＨＤＤ２ａとの間、ＡＶＨＤＤ２ａとＡＶＨＤＤ２ｂとの間、及びＡＶＨＤＤ２ｂとＡＶＨＤＤ２ｃとの間は、ＩＥＥＥ１３９４シリアルバスケーブル４を用いて接続されている。すなわち、ＤＴＶ１とＡＶＨＤＤ２ａ，２ｂ，２ｃとは、デイジーチェーン方式で接続されている。
【００１５】
次に、図２を参照して、上記のＤＴＶ１とＡＶＨＤＤ２ａ，２ｂ，２ｃの電気的ブロック構成について説明する。図中のＡＶＨＤＤ２は、ＡＶＨＤＤ２ａ，２ｂ，２ｃの総称である。ＤＴＶ１は、アンテナ９と接続されており、地上波ディジタルテレビジョン放送受信用のチューナ回路１１と、チューナ回路１１で受信したトランスポートストリームの中からユーザにより選択された番組のビデオパケットやオーディオパケットを抽出するＤＥＭＵＸ１２と、ＤＥＭＵＸ１２から送られたＭＰＥＧ圧縮されたビデオパケットやオーディオパケットをデコードして映像信号や音声信号を再生するＭＰＥＧデコーダ１３と、再生された映像信号に文字情報等の信号を重畳させるオンスクリーンディスプレイ部１４（以下、ＯＳＤ部という）と、再生された映像を表示するためのモニタ５（表示装置）と、再生された音声を出力するためのスピーカ２２とを有している。また、ＤＴＶ１は、装置全体の制御を行うためのマイクロプロセッサ１０（番組情報抽出手段、番組情報ＤＢ作成手段、番組情報ＤＢ更新手段、表示制御手段）と、各種データを記憶するためのメモリ１６と、ＩＥＥＥ１３９４シリアルバス５０（以下、バスと略す）上の他の接続機器との間でデータの送受信を行うためのＩＥＥＥ１３９４インタフェース１７（以下、インタフェースという）と、リモコン３０から送信された赤外線信号を受信する赤外線信号受信部１５とを有している。上記のマイクロプロセッサ１０とインタフェース１７とが、請求項における番組情報取得手段に相当する。
【００１６】
上記のメモリ１６には、全てのＡＶＨＤＤ２ａ，２ｂ，２ｃに格納されている番組の番組情報の中から、ユーザにより設定入力された検索条件に合致する番組情報を格納した番組情報データベース１８（図中の番組情報ＤＢ）と、検索条件設定入力画面（図５参照）及びリモコン３０を用いて設定入力された検索条件１９と、各ＡＶＨＤＤ２ａ，２ｂ，２ｃのルートコンテンツリストのリストスペシフィックインフォメーション内のタイムスタンプインフォブロックにおけるカウンタの前回の値（前回カウンタ値）２０と、番組一覧更新タイミング選択メニュー（図８参照）を用いて設定入力された設定値を含む各種の設定情報２１が格納されている。
【００１７】
リモコン３０は、各種のキーからなるキー部３５と赤外線信号発信部３１とを有している。キー部３５には、電源キー３３、数字・文字入力用のキー３４、カーソルキー３６、決定キー３７に加えて、各種メニューを表示するためのメニューキー３２と、設定入力された検索条件に合致する番組情報を一覧表示するように指示するための一覧表示キー３８（指示手段）と、番組情報データベース１８の更新を指示するための更新キー３９とが配設されている。リモコン３０と検索条件設定入力画面（図５参照）とが、請求項における検索条件入力手段に相当する。
【００１８】
また、上記のＤＴＶ１とバス５０を介して接続されたＡＶＨＤＤ２は、装置全体の制御を行うマイクロプロセッサ４１と、ＤＴＶ１等からバス５０を介して制御コマンドやストリームデータ等のデータを受信するためのＩＥＥＥ１３９４インタフェース４３（以下、インタフェースと略す）とを備えている。また、ＡＶＨＤＤ２は、記録するデータ又は読み出したデータを一時的に保存するバッファメモリ４２と、記録媒体である複数枚のハードディスク４５と、これらのハードディスク４５に対してデータの記録・読取を行う複数の磁気ヘッド４６と、磁気ヘッド４６を駆動するヘッド駆動部４４とを有している。
【００１９】
上記のＤＴＶ１では、ユーザによりリモコン３０の一覧表示キー３８が押されると、自機に接続されている全てのＡＶＨＤＤ２ａ，２ｂ，２ｃに格納されている番組の番組情報の中から、ユーザにより設定入力された検索条件に合致する番組情報が、ＤＴＶ１のモニタ５上に一覧表示される。この番組情報の一覧表示を行うためには、ＤＴＶ１側において、番組情報データベース１８の生成を含む初期化処理を行った上で、検索条件の設定入力処理を行って、ユーザにより設定入力された検索条件に合致する番組情報を格納した番組情報データベース１８を作成しておく必要がある。以下に、上記の処理について詳述する。
【００２０】
まず、図３のフローチャートを参照して、上記の初期化処理について説明する。ＤＴＶ１の出荷時や、ユーザによりリモコン３０を用いて初期化処理の指示入力が行われたときには、ＤＴＶ１のマイクロプロセッサ１０は、番組情報データベース１８の生成を行った上で（Ｓ１）、メモリ１６に記憶された検索条件１９をクリアする（Ｓ２）。
【００２１】
次に、図４のフローチャートに加えて、図５を参照して、検索条件の設定入力時における処理について説明する。ユーザが、図５に示される検索条件設定入力画面６１とリモコン３０とを用いて、所望の番組の検索条件を設定入力すると（Ｓ１１）、設定入力されたデータは、メモリ１６内に検索条件１９として記憶される。図５に示されるように、検索条件設定入力画面６１には、録画期間入力欄６２（何日から何日までの間に録画された番組かという条件を入力するための欄）と番組タイトル入力欄６３とが配設されている。これらの入力欄６２、６３からの検索条件の設定入力処理が終了すると、ＤＴＶ１のマイクロプロセッサ１０は、設定入力された検索条件の内容に合致する番組情報を格納した番組情報データベース１８を作成する（Ｓ１２）。
【００２２】
次に、図６のフローチャートを参照して、番組情報データベース１８の作成処理について説明する。ＤＴＶ１のマイクロプロセッサ１０は、まず、番組情報データベース１８の内容をクリアした後に（Ｓ２１）、自機に接続されている全ての機器（ノード）に対して、SUBUNIT INFOコマンドを送信して（Ｓ２２及びＳ２３）、各接続機器がディスクレコーダ／プレーヤサブユニット（以下、ディスクサブユニットと略す）を有しているか否かを確認する（Ｓ２４）。図１に示されるように、ＤＴＶ１に接続されている機器がＡＶＨＤＤ２ａ，２ｂ，２ｃだけである場合には、これらのＡＶＨＤＤ２ａ，２ｂ，２ｃについて、ディスクサブユニットを有しているか否かを確認する。ＤＴＶ１のマイクロプロセッサ１０は、ディスクサブユニットを有している接続機器（以下、ディスクタイプ接続機器という）（例えば、図１中のＡＶＨＤＤ２ａ，２ｂ，２ｃ）に対しては（Ｓ２４でＹＥＳ）、該当のディスクタイプ接続機器からルートコンテンツリストを読み込んで（Ｓ２５）、このルートコンテンツリストより、該当のディスクタイプ接続機器に格納されている全ての番組の番組情報を取得した上で、取得した番組情報の中から、検索条件設定入力画面６１とリモコン３０とを用いてユーザにより設定入力された検索条件に合致する番組情報を抽出する（Ｓ２６）。そして、抽出した各番組情報を該当の番組を格納したディスクタイプ接続機器のＧＵＩＤと関連付けして（抽出した各番組情報に該当の番組を格納したディスクタイプ接続機器のＧＵＩＤのデータを付加して）（Ｓ２７）、関連付け後の各番組情報を番組情報データベース１８に格納（追加）する（Ｓ２８）。
【００２３】
次に、図７のフローチャートに加えて、図８を参照して、ユーザによりリモコン３０の一覧表示キー３８が押された場合の処理について説明する。ＤＴＶ１の初期設定時に、ユーザが、リモコン３０を用いて、図８に示される番組一覧更新タイミング選択メニュー５１をモニタ５上に表示させて、「４．一覧表示キー押下時に更新」を選択していた場合には（Ｓ３１でＹＥＳ）、ＤＴＶ１のマイクロプロセッサ１０は、ユーザによりリモコン３０の一覧表示キー３８が押されると、後述する番組情報データベース更新処理を行って、番組情報データベース１８を最新の内容に更新した上で（Ｓ３２）、更新後の番組情報データベース１８に格納された番組情報を一覧表示する（Ｓ３３）。
【００２４】
上記Ｓ３２の番組情報データベース更新処理を行うタイミングは、上記のように一覧表示キー３８が押されたときには限らない。具体的には、上記の番組一覧更新タイミング選択メニュー５１（図８参照）に示されるように、ＤＴＶ１の初期設定時に、「１．電源立上時に更新」、「２．バックジョブで所定の時間毎に更新」、「３．番組一覧更新キー押下時に更新」、「４．一覧表示キー押下時に更新」、「５．一覧表示キー押下時に、番組一覧を表示してから、番組一覧を更新するか否か選択」のうちのいずれの更新タイミングに設定してもよい。なお、番組一覧更新タイミング選択メニュー５１上における「番組一覧（を）更新」とは、実質的に「番組情報データベース（を）更新」と同じ意味である。
【００２５】
次に、図９のフローチャートを参照して、上記Ｓ３２の番組情報データベース更新処理について説明する。ＤＴＶ１のマイクロプロセッサ１０は、自機に接続されている全ての機器（ノード）に対して、SUBUNIT INFOコマンドを送信して（Ｓ４１及びＳ４２）、各接続機器がディスクサブユニットを有しているか否かを確認する（Ｓ４３）。そして、ディスクサブユニットを有している接続機器（ディスクタイプ接続機器）に対しては（Ｓ４３でＹＥＳ）、該当のディスクタイプ接続機器からルートコンテンツリストを読み込んで（Ｓ４４）、このルートコンテンツリストより、該当のディスクタイプ接続機器に格納されている全ての番組の番組情報を取得すると共に、このルートコンテンツリストのリストスペシフィックインフォメーション内のタイムスタンプインフォブロックのカウンタの値が、前回、該当のディスクタイプ接続機器のルートコンテンツリストを読み込みんだときのカウンタの値（メモリ１６に記憶された前回カウンタ値２０）と同じであるか否かをチェックする（Ｓ４５及びＳ４６）。このカウンタの値は、ルートコンテンツリストの世代管理用の番号（ジェネレーション番号）であり、ルートコンテンツリストに含まれる番組情報に変更があった場合には、増加する。
【００２６】
上記Ｓ４６のチェックの結果、上記カウンタの値が前回よりも増加した場合は（Ｓ４６でＹＥＳ）、ＤＴＶ１のマイクロプロセッサ１０は、メモリ１６内の前回カウンタ値２０を最新のカウンタの値に合わせて更新する。次に、ＤＴＶ１のマイクロプロセッサ１０は、該当のディスクタイプ接続機器に格納されている全ての番組についての番組情報を番組情報データベース１８の中から削除した上で（Ｓ４７）、上記Ｓ４４で読み込んだルートコンテンツリストから取得した全ての番組の番組情報の中から、検索条件設定入力画面６１とリモコン３０とを用いてユーザにより設定入力された検索条件に合致する番組情報を抽出する（Ｓ４８）。そして、抽出した各番組情報を該当の番組を格納したディスクタイプ接続機器のＧＵＩＤと関連付けして（Ｓ４９）、関連付け後の各番組情報を番組情報データベース１８に追加する（Ｓ５０）。
【００２７】
これに対して、上記Ｓ４６のチェックの結果、上記カウンタの値が前回と同じ場合には（Ｓ４６でＮＯ）、ＤＴＶ１のマイクロプロセッサ１０は、上記Ｓ４１の処理に戻って、次の接続機器（ノード）についての処理を行う。
【００２８】
図１０は、ユーザによりリモコン３０の一覧表示キー３８が押された場合に、ＤＴＶ１のモニタ５上に表示される番組一覧表示画面７１を示す。番組一覧表示画面７１には、ディスクタイプ接続機器（例えば、図１中のＡＶＨＤＤ２ａ，２ｂ，２ｃ）に格納されている全ての番組の番組情報の中から、検索条件設定入力画面６１（図５参照）とリモコン３０とを用いてユーザにより設定入力された検索条件に合致する番組情報のみが表示される。具体的には、検索条件設定入力画面６１における録画期間入力欄６２と番組タイトル入力欄６３から入力された検索条件に合致する録画日７３と番組タイトル７２とを持つ番組情報のみが、モニタ５上の番組一覧表示画面７１に表示される。
【００２９】
上記のように、本実施形態のＤＴＶ１によれば、自機に接続されている全てのディスクタイプ接続機器に格納されている番組の番組情報の中から、ユーザにより設定入力された検索条件に合致する番組情報を、モニタ５上に一覧表示させることができる。これにより、ＤＴＶ１に接続されている全てのディスクタイプ接続機器に格納されている番組が多い場合や、ＤＴＶ１に接続されているディスクタイプ接続機器の台数が２台以上である場合でも、ユーザ所望の番組の検索条件を設定入力することで、一覧表示される番組情報をユーザ所望の番組の番組情報のみに絞ることができるので、ユーザが、一覧表示された番組情報の中から再生させたい番組の番組情報を容易に探すことができる。
【００３０】
また、一覧表示させる番組情報の元データを格納した番組情報データベース１８を更新する際に、各ディスクタイプ接続機器の最新のルートコンテンツリストのリストスペシフィックインフォメーション内のタイムスタンプインフォブロックのカウンタ値が、前回、該当のディスクタイプ接続機器のルートコンテンツリストを読み込みんだとき（前回の番組情報データベース１８の更新時又は作成時）のカウンタ値と同じであれば、番組情報データベース１８に格納されている番組情報のうち、該当のディスクタイプ接続機器に格納されている番組についての番組情報を更新しないようにした。これにより、番組情報データベース１８の更新に要する時間を短縮することができる。
【００３１】
なお、本発明は、上記実施形態に限られるものではなく、様々な変形が可能である。例えば、上記の実施形態では、本発明をＤＴＶ１に適用した場合の例を示したが、本発明の適用対象となるコントローラ機器はこれに限られず、例えば、地上波ディジタル放送やＢＳディジタル放送用のセットトップボックスであってもよい。また、上記の実施形態では、ＩＥＥＥ１３９４シリアルバス５０を介してＤＴＶ１と接続されるディスクタイプ接続機器がＡＶＨＤＤである場合の例を示したが、ＤＴＶ１と接続されるディスクタイプ接続機器は、これに限られず、例えば、ＤＶＤレコーダやＤＶＤプレーヤであってもよい。さらにまた、上記の実施形態では、一覧表示用の番組情報だけを格納した番組情報データベース１８のみを作成したが、一覧表示用の番組情報だけを格納した番組情報データベースに加えて、自機に接続されている全てのディスクタイプ接続機器に格納されている全ての番組の番組情報を格納した番組情報データベースを作成するようにしてもよい。
【図面の簡単な説明】
【００３２】
【図１】本発明の一実施形態に係るディジタルテレビジョン受像機と、このディジタルテレビジョン受像機に接続されたＡＶＨＤＤの外観を示す斜視図。
【図２】上記ディジタルテレビジョン受像機とＡＶＨＤＤの電気的ブロック構成図。
【図３】上記ディジタルテレビジョン受像機における初期化処理を示すフローチャート。
【図４】上記ディジタルテレビジョン受像機における検索条件の設定入力時の処理を示すフローチャート。
【図５】上記検索条件の設定入力時に用いられる検索条件設定入力画面を示す図。
【図６】上記ディジタルテレビジョン受像機における番組情報データベースの作成処理を示すフローチャート。
【図７】上記ディジタルテレビジョン受像機においてリモコンの一覧表示キーが押された場合の処理を示すフローチャート。
【図８】上記番組情報データベースの更新タイミングの選択メニューを示す図。
【図９】上記ディジタルテレビジョン受像機における番組情報データベースの更新処理を示すフローチャート。
【図１０】上記ディジタルテレビジョン受像機においてリモコンの一覧表示キーが押された場合に表示される番組一覧表示画面を示す図。
【符号の説明】
【００３３】
１    ＤＴＶ（ディジタルテレビジョン受像機、コントローラ機器）
２    ＡＶＨＤＤ（ディスクレコーダ／プレーヤサブユニットを有するディジタル録画再生装置）
５    モニタ（表示装置）
１０  マイクロプロセッサ（番組情報取得手段、番組情報抽出手段、番組情報ＤＢ作成手段、番組情報ＤＢ更新手段、表示制御手段）
１７  インタフェース（番組情報取得手段）
２ａ  ＡＶＨＤＤ（ディスクレコーダ／プレーヤサブユニットを有するディジタル録画再生装置）
２ｂ  ＡＶＨＤＤ（ディスクレコーダ／プレーヤサブユニットを有するディジタル録画再生装置）
２ｃ  ＡＶＨＤＤ（ディスクレコーダ／プレーヤサブユニットを有するディジタル録画再生装置）
３０  リモコン（検索条件入力手段）
３８  一覧表示キー（指示手段）
５０  バス（ＩＥＥＥ１３９４シリアルバス）
６１  検索条件設定入力画面（検索条件入力手段）
【図１】
2006217465.tif 000003
【図２】
2006217465.tif 000004
【図３】
2006217465.tif 000005
【図４】
2006217465.tif 000006
【図５】
2006217465.tif 000007
【図６】
2006217465.tif 000008
【図７】
2006217465.tif 000009
【図８】
2006217465.tif 000010
【図９】
2006217465.tif 000011
【図１０】
2006217465.tif 000012